(57)【特許請求の範囲】
【請求項１】
ＬＥＤ  ＰＣＢを配電盤ＰＣＢに電気的に接続するアップダウン式コネクタであって、前記配電盤ＰＣＢに形成された切り込み穴に挿入される基部、取付け釘穴が上に形成されている前記基部の両側で上方向に延在して形成される取付け釘固定部、および該取付け釘固定部とともに単一統合部品として形成され、前記ＬＥＤ  ＰＣＢとの接触点の位置を制限するように後部に配置されているストッパー部を備えるハウジングと、該ハウジングを前記配電盤ＰＣＢに、前記取付け釘穴への挿入によって固定する取付け釘と、前記ＬＥＤ  ＰＣＢの接触端子に電気的に接続し、前記基部の上面に位置し、前記ストッパー部を通過する接触端子と、前記ＬＥＤ  ＰＣＢの上下の動きにより、前記配電盤ＰＣＢへの電気的接続が確立されたときに、前記ＬＥＤ  ＰＣＢを選択的に係止／係脱する係止バーとを備え、
各係止バーが、前記取付け釘固定部の内部で左右に回転することができる単一装置として形成されており、傾斜面および係止面が前記係止バーの底部に形成されており、前記係止バーの上部に、前記係止バーを回転することで、前記ＬＥＤ  ＰＣＢを係脱するハンドルが形成されている、アップダウン式コネクタ。
【請求項２】
前記ＬＥＤ  ＰＣＢを係止するときに該ＬＥＤ  ＰＣＢが下がっている場合、該ＬＥＤ  ＰＣＢの底部の両側が、前記傾斜面を押し、前記係止バーを回転させ、前記ＬＥＤ  ＰＣＢが、前記係止面にある前記ＬＥＤ  ＰＣＢの上面の両側を掴むことで係止され、前記ＬＥＤ  ＰＣＢを係脱するときに、前記回転係止バーのハンドルが後方に押されると、前記回転係止バーが回転し、前記ＬＥＤ  ＰＣＢが係脱される、請求項１に記載のアップダウン式コネクタ。
【請求項３】
前記取付け釘固定部の底に、前記配電盤ＰＣＢの上面で支えられているリップが形成されている、請求項１に記載のアップダウン式コネクタ。
【発明の詳細な説明】
【技術分野】
【０００１】
本発明はコネクタに関し、より詳細には、ＬＥＤ  ＰＣＢと配電盤ＰＣＢとを接続するためのアップダウン式コネクタに関し、ＬＥＤ  ＰＣＢ用の改良型アップダウン構造で現行のスライド技術から離れ、狭い場所での作業空間の最適化を可能にし、組立工程および生産性を改善する。
【背景技術】
【０００２】
一般に、「コネクタ」は、電源と装置との間、装置と装置との間、又は１つの装置内にある２つの部品の間に、電気接続を作る電子部品を意味する。形状および接続方法により、様々な種類が存在する。
【０００３】
図１は従来技術によるスライド式コネクタの斜視図である。
【０００４】
図１を参照すると、従来技術によるスライド式コネクタ（１０）には、前記配電盤ＰＣＢ（２）にコネクタハウジング（１１）が格納されており、ＬＥＤ  ＰＣＢ（１）と配電盤ＰＣＢ（２）との間の電気接続を確立するために、接触端子（１２）が前記コネクタハウジング（１１）上に固定されている。
【０００５】
このように、従来技術によるスライド式コネクタ（１０）は構成され、ＬＥＤ  ＰＣＢ（１）が矢印の方向に前進し、コネクタハウジング（１１）の挿入穴（１１ａ）に挿入され、接触端子（１２）がＬＥＤ  ＰＣＢ（１）の端子（１ａ）に接触する。
【０００６】
しかし、従来技術によるスライド式コネクタでは、ＬＥＤ  ＰＣＢ（１）の側面（１ｂ）はコネクタハウジング（１１）の内部表面（１１ｂ）からの障害に遭遇することがあり、接触端子（１２）とのすべり接触により、ＬＥＤ  ＰＣＢ（１）のひっかきが発生する可能性がある。
【０００７】
さらに、従来技術によるスライド式コネクタでは、作業者は組立中に嵌合感触を確認することが難しく、別の係止構造が接続状態に構成されていないので、外的衝撃により接続が切断することがあり、組立時に過度の嵌合力が加えられた場合、作業能力が低下するだけでなく、コネクタ自体が損傷する危険がある。
【発明の概要】
【発明が解決しようとする課題】
【０００８】
上記に記載の問題を解決するため、本発明はＬＥＤ  ＰＣＢと配電盤ＰＣＢとを接続するためのアップダウン式コネクタを提供し、ＬＥＤ  ＰＣＢ用の改良型アップダウン構造で現行のスライド技術から離れ、したがって、狭い場所での作業空間の最適化を可能にし、組立工程および生産性を改善することを目的とする。
【０００９】
さらに、本発明は、ＬＥＤ  ＰＣＢ端子へのひっかきによる製品の損傷がなく、嵌合感触を直ちに確認することが可能で、接続状態に設定されている係止構造により、過度の嵌合力などを加える必要がなく、外的衝撃により接続が切断されることがない、信頼性のあるアップダウン式コネクタを提供することを目的とする。
【課題を解決するための手段】
【００１０】
上記目的を達成するため、本発明のアップダウン式コネクタは、ＬＥＤ  ＰＣＢを配電盤ＰＣＢに電気的に接続するコネクタを備え、該コネクタは、前記配電盤ＰＣＢに形成された切り込み穴に挿入される基部、該基部の両側で上方向に延在し、取付け釘穴が形成される取付け釘固定部、および該取付け釘固定部とともに単一統合部品として形成され、前記ＬＥＤ  ＰＣＢとの接触点の位置を制限するように後部に配置されているストッパー部を備えるハウジングと、前記釘穴に挿入することで、前記ハウジングを前記ＬＥＤ  ＰＣＢに固定する取付け釘と、前記ＬＥＤ  ＰＣＢの接触端子に電気的に接続し、前記基部の上面に位置し、前記ストッパー部を通過する接触端子と、前記取付け釘固定部の内部の両側に位置し、前記ＬＥＤ  ＰＣＢの上下の動きにより、前記配電盤ＰＣＢに電気的に接続された場合、前記ＬＥＤ  ＰＣＢを選択的に係止／係脱する係止バーとを備える。
【００１１】
前記係止バーは、前記取付け釘固定部の内部で左右に回転することができる単一部品として形成されており、傾斜面および係止面が前記係止バーの底部に形成されており、前記係止バーの上部には、前記係止バーを回転することで前記ＬＥＤ  ＰＣＢを係脱するハンドルが形成されている。
【００１２】
本構造においては、前記ＬＥＤ  ＰＣＢを係止するときに該ＬＥＤ  ＰＣＢが下がっている場合、該ＬＥＤ  ＰＣＢの底部の両側から、前記傾斜面に圧力を与えることで、前記係止バーが回転し、前記係止面上にある前記ＬＥＤ  ＰＣＢの両側の上部を掴むことで、前記ＬＥＤ  ＰＣＢが係止される。前記ＬＥＤ  ＰＣＢを係脱するときに、前記回転係止バーのハンドルが後方に押されると、前記ＬＥＤ  ＰＣＢは、前記回転係止バーを回転させ、係脱される。
【００１３】
前記取付け釘固定部の底には、前記配電盤ＰＣＢの上部で支えられているリップが形成されている。
【発明の効果】
【００１４】
上記に記載の通り、本発明はＬＥＤ  ＰＣＢと配電盤ＰＣＢとの接続に関し効力を有し、ＬＥＤ  ＰＣＢ用の改良型アップダウン構造で現行のスライド技術から離れ、したがって、狭い場所での作業空間の最適化を可能にし、組立工程および生産性を改善する。
【００１５】
さらに、本発明においては、ＬＥＤ  ＰＣＢ端子へのひっかきによる製品の損傷がなく、嵌合感触を直ちに確認することが可能で、接続状態に設定されている係止構造により、過度の嵌合力などを加えるが必要なく、外的衝撃により接続が切断されることがなく、製品への信頼性を向上できる。
【図面の簡単な説明】
【００１６】
【図１】従来技術によるスライド式コネクタの斜視図である。
【図２】本発明の実施形態によるアップダウン式コネクタの装着を示す斜視図である。
【図３】本発明の実施形態によるアップダウン式コネクタを示す分解斜視図である。
【図４】本発明の実施形態によるアップダウン式コネクタを示す斜視図である。
【図５】図４の上面図である。
【図６】図４の正面図である。
【図７】図４の側面図である。
【図８】図４の背面図である。
【図９】図４の下面図である。
【図１０】本発明の実施形態によるアップダウン式コネクタの動作を示す図である。
【発明を実施するための形態】
【００１７】
以下に、添付図面を参照しながら、本発明の実施形態による、アップダウン構造を有するコネクタの詳細を説明する。
【００１８】
図１は従来技術によるスライド式コネクタの斜視図である。図２は本発明の実施形態によるアップダウン式コネクタの装着を示す斜視図である。図３は本発明の実施形態によるアップダウン式コネクタを示す分解斜視図である。図４は本発明の実施形態によるアップダウン式コネクタを示す斜視図である。図５は図４の上面図である。図６は図４の正面図である。図７は図４の側面図である。図８は図４の背面図である。図９は図４の下面図である。図１０は本発明の実施形態によるアップダウン式コネクタの動作を示す図である。
【００１９】
上記図面を参照すると、本発明の実施形態によるアップダウン式コネクタ（１００）は、電気的にＬＥＤ  ＰＣＢ（１）を配電盤ＰＣＢ（２）に接続するように設計され、プラスチックなどの絶縁体で形成されているハウジング（１１０）を備える。
【００２０】
前記ハウジング（１１０）は、前記配電盤ＰＣＢ（２）に形成された切り込み穴（２ａ）に挿入される基部（１１１）と、取付け釘穴（１１２ａ）が上に形成されている前記基部（１１１）の両側で上方向に延在するように形成されている取付け釘固定部（１１２）と、該取付け釘固定部（１１２）とともに単一統合部品として形成されており、前記ＬＥＤ  ＰＣＢ（１）との接触点の位置を制限するように、後部に配置されたストッパー部（１１３）とを備える。
【００２１】
前記ハウジング（１１０）を前記配電盤ＰＣＢ（２）に固定するために、取付け釘（１２０）を前記釘穴（１１２ａ）に挿入し固定する。
【００２２】
前記基部（１１１）の上面に、また前記ストッパー部（１１３）を通り、接触端子（１３０）が配置され、前記ＬＥＤ  ＰＣＢ（１）の接触端子（１ａ）に電気的接続が確立されるよう接触端子（１３０）が構成されている。
【００２３】
前記取付け釘固定部（１１２）の中に、係止バー（１１４）が向かい合うよう形成されている。該係止バー（１１４）は前記ハウジングとは別に形成されるが、生産原価や強度の観点から、ハウジングとともに単一の装置として形成されることが好ましい。
【００２４】
前記取付け釘固定部（１１２）の底には、前記配電盤ＰＣＢ（２）の上で支えられているリップ（１１２ｂ）が形成されている。
【００２５】
前記ＬＥＤ  ＰＣＢ（１）を上下に動かし、前記配電盤ＰＣＢ（２）への電気接続が確立すると、前記係止バー（１１４）は前記ＬＥＤ  ＰＣＢ（１）を選択的に係止／係脱するよう作動する。
【００２６】
ここでは、「係止」とは、前記ＬＥＤ  ＰＣＢ（１）と前記配電盤ＰＣＢ（２）との間の電気的接続状態を意味し、「係脱」とは前記ＬＥＤ  ＰＣＢ（１）と前記配電盤ＰＣＢ（２）との間の電気的切断状態を意味する。
【００２７】
前記係止バー（１１４）の構造をより詳細に説明すると、前記係止バーは、前記取付け釘固定部（１１２）の内部表面で左右に回転することができる単一装置として形成されており、傾斜面（１１４ａ）および係止面（１１４ｂ）が、前記係止バー（１１４）の底部に形成されている。
【００２８】
さらに、前記係止バー（１１４）の上部には、前記係止バー（１１４）を回転させ前記ＬＥＤ  ＰＣＢ（１）を係脱する、ハンドル（１１４ｃ）が形成されている。
【００２９】
前記係止バー（１１４）の本構造においては、前記ＬＥＤ  ＰＣＢ（１）を係止するときに該ＬＥＤ  ＰＣＢ（１）が下がっている場合、該ＬＥＤ  ＰＣＢ（１）の底部の両側が前記傾斜面（１１４ａ）を押すため、前記係止バー（１１４）が回転し、前記係止面（１１４ａ）上の前記ＬＥＤ  ＰＣＢ（１）の上面の両側を掴むことで、前記ＬＥＤ  ＰＣＢ（１）が係止する。
【００３０】
一方、前記ＬＥＤ  ＰＣＢ（１）を係脱するときに、前記回転係止バー（１１４）のハンドル（１１４ｃ）が後方に押されると、前記回転係止バー（１１４）を回転させることで、前記ＬＥＤ  ＰＣＢ（１）が係脱する。
【００３１】
上記の通り構成された、本発明の実施形態によるアップダウン式コネクタの動作を、以下の通り説明する。
【００３２】
図２に記載の状態でＬＥＤ  ＰＣＢ（１）を係止するためには、まずＬＥＤ  ＰＣＢ（１）を矢印の方向に動かし圧力を加え、ハウジング（１１０）に挿入し、図１０（ａ）に示す通り、ＬＥＤ  ＰＣＢの底部の両側が傾斜面（１１４ａ）を通り、そして、点線で示す通り、前記回転係止バー（１１４）が弾性的に変形する。この状態で図１０（ｂ）に示す通りＬＥＤ  ＰＣＢ（１）が下がっていると、前記ＬＥＤ  ＰＣＢ（１）の上部の両側が前記係止面（１１４ａ）に掴まれ、同時に前記係止回転バー（１１４）が弾性的に元の位置に戻り、ＬＥＤ  ＰＣＢ（１）を係止する。ＬＥＤ  ＰＣＢ（１）の端子（１ａ）は、まもなく接触端子（１３０）に弾性的に接続する。
【００３３】
一方、図１０（ｃ）に示す通り、ＬＥＤ  ＰＣＢ（１）を係脱するためには、ハンドル（１１４ｃ）が矢印の方向に押されている場合、点線で示す通り、前記回転係止バー（１１４）は弾性的に変形する。前記ＬＥＤ  ＰＣＢ（１）の上部の両側はまもなく解除され、前記係止面（１１４ａ）に掴まれず、したがってＬＥＤ  ＰＣＢ（１）は係脱される。ＬＥＤ  ＰＣＢ（１）の端子（１ａ）はまもなく接触端子（１３０）から解放される。
【００３４】
さらに、本発明の実施形態に、ＬＥＤ  ＰＣＢと配電盤ＰＣＢとの接続の一実施形態が記載されていたが、これも同様にその他の種類のＰＣＢ間の接続に適用することができる。
【００３５】
上記に記載の通り、本発明はＬＥＤ  ＰＣＢと配電盤ＰＣＢとの接続に関し効力を有し、ＬＥＤ  ＰＣＢ用の改良型アップダウン構造で現行のスライド技術から離れ、狭い場所での作業空間の最適化を可能にし、組立工程および生産性を改善する。
【００３６】
さらに、本発明においては、ＬＥＤ  ＰＣＢ端子へのひっかきによる製品の損傷がなく、嵌合感触を直ちに確認することが可能で、接続された状態に設定されている係止構造により、過度の嵌合力を加える必要がなく、外的衝撃により接続が遮断されることがなく、したがって、製品への信頼性を向上できる。
【符号の説明】
【００３７】
１：ＬＥＤＰＣＢ
１ａ：接触端子
２：配電盤ＰＣＢ
２ａ：切り込み穴
１１０：ハウジング
１１１：基部
１１２：取付け釘固定部
１１２ａ：取付け釘穴
１１２ｂ：リップ
１１３：ストッパー部
１１４：係止バー
１１４ａ：傾斜面
１１４ｂ：係止面
１１４ｃ：ハンドル
１２０：取付け釘
１３０：接触端子
【図１】
0005592466.tif 000002
【図２】
0005592466.tif 000003
【図３】
0005592466.tif 000004
【図４】
0005592466.tif 000005
【図５】
0005592466.tif 000006
【図６】
0005592466.tif 000007
【図７】
0005592466.tif 000008
【図８】
0005592466.tif 000009
【図９】
0005592466.tif 000010
【図１０】
0005592466.tif 000011